(57)【要約】【課題】器具が稼働中であっても、浴室に人が居ないと推定されるときは、浴室リモートコントローラだけを個別に省電力モードにすることのできる風呂給湯器を提供する。【解決手段】省電力モード管理手段５４は、風呂給湯器に接続される複数のリモートコントローラ１００、２００のうち、浴室以外に設置されたリモートコントローラ２００で風呂の自動運転をオンにする操作が行われたとき、またはタイマ予約で自動運転がオンになったときは、その後、人が入浴可能な状態になったと判定するための所定の沸上り条件が成立するまで、浴室リモートコントローラ１００の表示を通常より節電される省電力モードに設定し、沸上り条件が成立したとき、省電力モードを解除して通常表示を行う。【選択図】図１
2004278962.tif 000002
【特許請求の範囲】
【請求項１】
浴室に設置された浴室リモートコントローラからの指示とこれ以外の器具内外からの指示のいずれかに基づいて風呂の自動運転の可能な風呂給湯器において、前記器具内外からの指示に基づいて風呂の自動運転がオンになったとき、その後、人が入浴可能な状態になったと判定するための所定の入浴可能条件が成立するまで、前記浴室リモートコントローラの動作モードをその表示状態が非表示もしくは通常より節電された状態になる省電力モードに設定し、前記入浴可能条件が成立したとき前記省電力モードを解除する省電力モード管理手段を有することを特徴とする風呂給湯器。
【請求項２】
前記器具内外からの指示で風呂の自動運転をオンにしてから一定の猶予時間が経過した時点から、前記浴室リモートコントローラの動作モードを前記省電力モードに設定することを特徴とする請求項１に記載の風呂給湯器。
【請求項３】
前記風呂の自動運転は、前記入浴可能条件が成立してから所定の保温継続時間が経過するまで保温動作を継続した後、自動でオフになるものであり、
前記省電力モード管理手段は、風呂の自動運転が自動でオフになったとき、少なくとも前記浴室リモートコントローラの動作モードを前記省電力モードに設定することを特徴とする請求項１または２に記載の風呂給湯器。
【請求項４】
前記省電力モード管理手段は、前記風呂の自動運転が自動でオフになる前に手動で自動運転がオフにされたとき、前記浴室リモートコントローラの動作モードを、そのあと一定時間が経過するまで、または保温開始から一定時間が経過するまで、または前記保温継続時間が経過するまでは前記省電力モードが解除された状態にし、前記一定時間もしくは前記保温継続時間が経過したとき前記省電力モードに設定することを特徴とする請求項３に記載の風呂給湯器。
【請求項５】
浴室に設置された浴室リモートコントローラからの指示とこれ以外の器具内外からの指示のいずれかに基づいて風呂の自動運転の可能な風呂給湯器のリモートコントローラ制御方法において、
前記器具内外からの指示に基づいて風呂の自動運転がオンになったとき、その後、人が入浴可能な状態になったと判定するための所定の入浴可能条件が成立するまで、前記浴室リモートコントローラの動作モードをその表示状態が非表示もしくは通常より節電された状態になる省電力モードに設定し、前記入浴可能条件が成立したとき前記省電力モードを解除することを特徴とする風呂給湯器のリモートコントローラ制御方法。
【請求項６】
前記器具内外からの指示で風呂の自動運転をオンにしてから一定の猶予時間が経過した時点から、前記浴室リモートコントローラの動作モードを前記省電力モードに設定することを特徴とする請求項５に記載の風呂給湯器のリモートコントローラ制御方法。
【請求項７】
前記風呂の自動運転が、前記入浴可能条件が成立してから所定の保温継続時間が経過するまで保温動作を継続した後、自動でオフになる場合において、
風呂の自動運転が自動でオフになったとき、少なくとも前記浴室リモートコントローラの動作モードを前記省電力モードに設定することを特徴とする請求項５または６に記載の風呂給湯器のリモートコントローラ制御方法。
【請求項８】
前記風呂の自動運転が自動でオフになる前に手動で自動運転がオフにされたとき、前記浴室リモートコントローラの動作モードを、そのあと一定時間が経過するまで、または保温開始から一定時間が経過するまで、または前記保温継続時間が経過するまでは前記省電力モードが解除された状態にし、前記一定時間もしくは前記保温継続時間が経過したとき前記省電力モードに設定することを特徴とする請求項７に記載の風呂給湯器のリモートコントローラ制御方法。
【発明の詳細な説明】
【０００１】
【発明の属する技術分野】
本発明は、浴室に設置される浴室リモートコントローラと浴室以外に設置される１または２以上のリモートコントローラとが接続されかつ風呂の自動運転の可能な風呂給湯器およびそのリモートコントローラ制御方法にかかわり、特に、リモートコントローラの表示を省電力モードに切り換えることのできる風呂給湯器およびそのリモートコントローラ制御方法に関する。
【０００２】
【従来の技術】
風呂給湯器の本体には、浴室に設置される浴室リモコンと台所等に設置される台所リモコン等の複数台のリモートコントローラが接続される。台所や浴室に設置されるリモートコントローラは、各種の操作スイッチと表示部を備えており、風呂給湯器の運転状態を遠隔から操作したり運転状況を確認したりすることが可能になっている。リモートコントローラの表示部には、風呂給湯器の運転状態や設定状態などを示す多数の情報が表示される。たとえば、給湯設定温度、風呂設定温度、設定水位、燃焼状態などを示す情報が表示される。かかる表示部には、バックライトを備えた液晶表示装置、蛍光表示管、ＬＥＤなどの表示素子が使用される。
【０００３】
またリモートコントローラで消費される電力の大部分が表示部に費やされていることから、運転スイッチはオンであるが給湯動作など燃焼を伴う動作を行っていない待機中に、表示部の消灯される省電力モードへ移行するようにした器具もある。（たとえば、特許文献１参照。）。
【０００４】
【特許文献１】
特開平２−１３３７５０号公報
【０００５】
【発明が解決しようとする課題】
従来から使用されている省電力モードを備えた風呂給湯器では、表示を省電力モードにするか否かの制御を風呂や台所に設置されたすべてのリモートコントローラを区別することなく共通に行っており、給湯や追焚動作が行われて待機中の状態を脱すると、すべてのリモートコントローラで省電力モードが解除されるようになっている。このため、風呂給湯器の動作状態から見て、浴室に人が居ないと推定されるような場合でも、待機中でないときは、浴室リモートコントローラについても省電力モードが解除され、通常モードでの表示が行われていた。
【０００６】
本発明は、このような問題点に着目してなされたもので、器具が稼働中であっても、浴室に人が居ないと推定されるときは、浴室リモートコントローラだけを個別に省電力モードにすることのできる風呂給湯器およびそのリモートコントローラ制御方法を提供することを目的としている。
【０００７】
【課題を解決するための手段】
かかる目的を達成するための本発明の要旨とするところは、次の各項の発明に存する。
［１］浴室に設置された浴室リモートコントローラ（１００）からの指示とこれ以外の器具内外からの指示のいずれかに基づいて風呂の自動運転の可能な風呂給湯器（１０）において、
前記器具内外からの指示に基づいて風呂の自動運転をオンになったとき、その後、人が入浴可能な状態になったと判定するための所定の入浴可能条件が成立するまで、前記浴室リモートコントローラ（１００）の動作モードをその表示状態が非表示もしくは通常より節電された状態になる省電力モードに設定し、前記入浴可能条件が成立したとき前記省電力モードを解除する省電力モード管理手段（５４）を有することを特徴とする風呂給湯器（１０）。
【０００８】
［２］前記器具内外からの指示で風呂の自動運転をオンにしてから一定の猶予時間が経過した時点から、前記浴室リモートコントローラ（１００）の動作モードを前記省電力モードに設定することを特徴とする［１］に記載の風呂給湯器（１０）。
【０００９】
［３］前記風呂の自動運転は、前記入浴可能条件が成立してから所定の保温継続時間が経過するまで保温動作を継続した後、自動でオフになるものであり、
前記省電力モード管理手段（５４）は、風呂の自動運転が自動でオフになったとき、少なくとも前記浴室リモートコントローラ（１００）の動作モードを前記省電力モードに設定することを特徴とする［１］または［２］に記載の風呂給湯器（１０）。
【００１０】
［４］前記省電力モード管理手段（５４）は、前記風呂の自動運転が自動でオフになる前に手動で自動運転がオフにされたとき、前記浴室リモートコントローラ（１００）の動作モードを、そのあと一定時間が経過するまで、または保温開始から一定時間が経過するまで、または前記保温継続時間が経過するまでは前記省電力モードが解除された状態にし、前記一定時間もしくは前記保温継続時間が経過したとき前記省電力モードに設定することを特徴とする［３］に記載の風呂給湯器（１０）。
【００１１】
［５］浴室に設置された浴室リモートコントローラ（１００）からの指示とこれ以外の器具内外からの指示のいずれかに基づいて風呂の自動運転の可能な風呂給湯器（１０）のリモートコントローラ制御方法において、
前記器具内外からの指示に基づいて風呂の自動運転がオンになったとき、その後、人が入浴可能な状態になったと判定するための所定の入浴可能条件が成立するまで、前記浴室リモートコントローラ（１００）の動作モードをその表示状態が非表示もしくは通常より節電された状態になる省電力モードに設定し、前記入浴可能条件が成立したとき前記省電力モードを解除することを特徴とする風呂給湯器（１０）のリモートコントローラ制御方法。
【００１２】
［６］前記器具内外からの指示で風呂の自動運転をオンにしてから一定の猶予時間が経過した時点から、前記浴室リモートコントローラ（１００）の動作モードを前記省電力モードに設定することを特徴とする［５］に記載の風呂給湯器（１０）のリモートコントローラ制御方法。
【００１３】
［７］前記風呂の自動運転が、前記入浴可能条件が成立してから所定の保温継続時間が経過するまで保温動作を継続した後、自動でオフになる場合において、
風呂の自動運転が自動でオフになったとき、少なくとも前記浴室リモートコントローラ（１００）の動作モードを前記省電力モードに設定することを特徴とする［５］または［６］に記載の風呂給湯器（１０）のリモートコントローラ制御方法。
【００１４】
［８］前記風呂の自動運転が自動でオフになる前に手動で自動運転がオフにされたとき、前記浴室リモートコントローラ（１００）の動作モードを、そのあと一定時間が経過するまで、または保温開始から一定時間が経過するまで、または前記保温継続時間が経過するまでは前記省電力モードが解除された状態にし、前記一定時間もしくは前記保温継続時間が経過したとき前記省電力モードに設定することを特徴とする［７］に記載の風呂給湯器（１０）のリモートコントローラ制御方法。
【００１５】
次に、前記各項に記載された発明の作用について説明する。
省電力モード管理手段（５４）は、風呂給湯器（１０）に接続される複数のリモートコントローラ（１００、２００）のうち、浴室以外に設置されたリモートコントローラ（２００）で風呂の自動運転をオンにする操作が行われたことやタイマ予約がタイムアップしたことになど、浴室リモートコントローラ（１００）以外の器具内外からの指示に基づいて風呂の自動運転がオンにされたときは、その後、人が入浴可能な状態になったと判定するための所定の入浴可能条件が成立するまで、浴室に設置されたリモートコントローラ（１００）の動作モードをその表示状態が非表示もしくは通常より節電された状態になる省電力モードに設定する。そして入浴可能条件が成立したとき、省電力モードを解除して通常の表示を行う。
【００１６】
器具内外からの指示には、上記のほか、電話回線やインターネットを通じた遠隔操作も含まれる。また入浴可能条件は、風呂の沸き上げが完了のほか、沸き上げ完了の所定時間前（たとえば５分前）になったときや、注湯によって浴槽への湯張りが完了したときに成立するものであってもよい。
【００１７】
浴室以外に設置された台所リモートコントローラ（２００）からの操作やタイマ予約がオンになるなど器具内外からの指示によって風呂の自動運転がオンになった場合には、その時点で浴室に人が居ないであろうし、また湯張りや沸き上げの完了またはそれらの完了が近づくことによって人の入浴可能条件が成立するまでは、浴室に人が居ないと推定される。一方、入浴可能条件が成立すると、人の入浴が予想される。そこで、入浴可能条件が成立するまでは浴室リモートコントローラ（１００）を省電力モードに設定し、入浴可能条件の成立後は省電力モードを解除する。これにより、浴室に人が居ないと推定されるときに無駄に浴室リモートコントローラ（１００）で通常の表示動作が行われなくなって節電効果を得ることができる。
【００１８】
浴室以外に設置されたリモートコントローラ（２００）からの指示など器具内外からの指示で風呂の自動運転をオンにした後、一定の猶予時間が経過した時点から、浴室リモートコントローラ（１００）の動作モードを省電力モードに設定してもよい。たとえば台所リモートコントローラ（２００）に風呂設定温度や設定水位を表示する機能がない場合には、操作者が風呂設定温度や設定水位を確認するために、自動運転スイッチを操作した後で浴室リモートコントローラ（１００）の表示を見に行く場合がある。そこで、浴室以外に設置されたリモートコントローラ（２００）で風呂の自動運転がオンにされてからしばらくの間は省電力モードに入らないようにすることで、上記の確認行為に対応しつつ、節電効果を得ることができる。
【００１９】
風呂の自動運転が、入浴可能条件が成立してから所定の保温継続時間が経過するまで保温動作を継続した後、自動でオフになるものである場合において、省電力モード管理手段（５４）は、風呂の自動運転が自動でオフになったとき、少なくとも浴室リモートコントローラ（１００）の動作モードを省電力モードに設定する。保温継続時間の経過後は、人の入浴がほぼ無いと推定されるので、省電力モードに自動で切り換えることで、節電できる。
【００２０】
また風呂の自動運転が自動でオフになる前に手動で自動運転がオフにされたときは、そのあと一定時間が経過するまで、または保温開始から一定時間が経過するまで、または前記保温継続時間が経過するまでは省電力モードの解除された状態（通常の表示動作）を維持し、一定時間もしくは保温継続時間が経過したとき、省電力モードに設定する。自動運転をオフにしても、すぐに浴槽水の温度は下がらないので、節約の観点から、入浴の終了する前に手動で自動運転がオフにされる場合がある。そこで、手動でオフされた場合であっても、その後の一定時間（たとえば３０分）もしくは保温継続時間が経過するまでは省電力モードの解除された状態を維持することで、浴室リモートコントローラの表示が消えてしまうという不便さを解消することができる。なお一定時間が経過する前に保温継続時間が経過した場合には、保温継続時間が経過したとき省電力モードに移行してもよいし、保温継続時間を過ぎても一定時間が経過するまでは省電力モードの解除された状態を維持するように構成してもよい。
【００２１】
【発明の実施の形態】
以下、図面に基づき本発明の実施の形態を説明する。
本発明の実施の形態にかかる風呂給湯器１０は、水栓やシャワーヘッドに給湯したり浴槽内へ注湯したりする機能と、浴槽内の水を追い焚きする機能を備えている。また注湯機能と追焚機能とを組み合わせることによって風呂の自動運転機能を備えている。風呂の自動運転では、浴槽に風呂設定温度の湯を設定水位まで湯張りする。その後、所定の保温継続時間（たとえば４時間）が経過するまで、風呂設定温度および設定水位を維持する保温動作を行い、保温継続時間が経過したとき、風呂の自動運転を自動的にオフするようになっている。
【００２２】
風呂給湯器１０は、器具本体２０と、器具本体２０に接続された浴室リモートコントローラ１００と台所リモートコントローラ２００とから構成される。浴室リモートコントローラ１００および台所リモートコントローラ２００は器具本体２０と２芯ケーブルでそれぞれ接続されており、各種の情報を器具本体２０との間で送受信し得るようになっている。
【００２３】
詳細には、器具本体２０と浴室リモートコントローラ１００および台所リモートコントローラ２００との間の通信は、たとえば１００ｍｓを周期に繰り返し行われる。１周期の間に、器具本体２０から浴室リモートコントローラ１００への表示情報等の送信と、器具本体２０から台所リモートコントローラ２００への表示情報等の送信と、浴室リモートコントローラ１００から器具本体２０へのスイッチ操作に関わる情報の送信と、台所リモートコントローラ２００から器具本体２０へのスイッチ操作に関わる情報の送信が行われる。器具本体２０からリモートコントローラ１００、２００へ送信される表示情報は、それぞれのリモートコントローラにおけるすべての表示項目のオンオフを毎回指示するものである。
【００２４】
器具本体２０は、図示省略の燃焼室の下方に配置されたバーナ２１と、このバーナ２１の排気下流（図では上方）に配置された熱交換器２２を備えている。熱交換器２２は、熱受熱管である給湯水管３０と追焚水管４０の双方が共通のフィン２３を通る、いわゆる一缶二水路型の熱交換器になっている。熱交換器２２を通る給湯水管３０の一端には給水源に通じる給水管３１が接続され、他端には出湯用の水栓等に通じる給湯管３２が接続されている。給水管３１の途中には、通水量を検出するための水量センサ３３が配置してある。水栓が開かれること等に起因した給湯水管３０内の通水を水量センサ３３が検出すると、バーナ２１を点火して燃焼させ、設定温度の湯が出るようにバーナ２１の燃焼量が制御される。
【００２５】
熱交換器２２を通る追焚水管４０の一端には浴槽５内の水を熱交換器２２へ戻すためのふろ戻管４１が接続され、他端には熱交換器２２で加熱後の水を浴槽５へ送り込むためのふろ往管４２が接続されている。ふろ戻管４１の途中には、ふろポンプ４３のほか、図示省略の水位センサ、ふろ水流スイッチ、ふろサーミスタが設けてある。ふろポンプ４３を駆動することで浴槽５内の水がふろ戻管４１、熱交換器２２の追焚水管４０およびふろ往管４２を経由して循環し、同時にバーナ２１を燃焼させることで、風呂の追い焚き動作が行われる。
【００２６】
給湯管３２とふろ戻管４１は注湯連絡管４５で接続されている。注湯連絡管４５の途中には、電磁弁４６が設けてある。常時は電磁弁４６は閉止されている。
浴槽５への注湯動作を行うとき、電磁弁４６を開き、バーナ２１を燃焼させる。
これにより、給水源からの水が熱交換器２２の給湯水管３０を通る際に加熱されて湯になり、これが注湯連絡管４５およびふろ戻管４１、ふろ往管４２を経て浴槽５に流れ込むようになっている。
【００２７】
このほか器具本体２０は、出湯温度や追い焚きする浴槽水の温度を検出するための各種サーミスタ、バーナ２１への給排気を行うための燃焼ファン、バーナ２１へ燃焼ガスを供給するためのガス供給管、バーナ２１への燃焼ガスの供給をオンオフするガス電磁弁、供給するガス量を調整するためのガス比例弁などを備えている。器具本体２０は、各種制御の中枢的役割を果たすＣＰＵ（中央処理装置）と、プログラムや各種の固定的データを記憶するＲＯＭ（リード・オンリ・メモリ）と、プログラムを実行する上で一時的に必要になるデータ等を記憶するためのＲＡＭとを主要部として構成された制御部５０を有している。制御部５０には、前記した水量センサ３３、電磁弁４６、ふろポンプ４３のほか各種電磁弁、サーミスタ等が電気的に接続されている。また制御部５０には、浴室に設置された浴室リモートコントローラ１００と台所に設置された台所リモートコントローラ２００がそれぞれ２芯ケーブルを介して接続されている。
【００２８】
制御部５０は、バーナ２１の燃焼を制御する燃焼制御手段５１と、風呂の自動運転を管理する風呂自動運転管理部５２と、保温継続時間の計測等を行うタイマ５３と、待機中等に浴室リモートコントローラ１００と台所リモートコントローラ２００を非表示にする等によって表示の節電を図る省電力モード管理手段５４と、浴室リモートコントローラ１００および台所リモートコントローラ２００のそれぞれと各種情報の送受信を行う通信手段５５としての機能を果たしている。
【００２９】
浴室リモートコントローラ１００は、人の操作を受け付けるための複数のスイッチ１１１〜１２６と、情報を表示するための複数の表示部１３１〜１４９と、スイッチに内蔵されたランプ１５１〜１５４と、運転ランプ１５５と、マイクの機能を兼ねたスピーカ１０１と、浴室リモートコントローラ１００の動作を統轄制御する制御部１６０とを有している。制御部１６０は、ＣＰＵ、ＲＯＭ、ＲＡＭを主要部とする回路で構成されている。制御部１６０は、浴室リモートコントローラ１００の動作を統括制御するものであり、各スイッチ１１１〜１２６の操作を受け付ける操作管理部１６１と、表示部１３１〜１４９の表示内容およびランプ１５１〜１５５の点灯を制御する表示制御部１６２と、器具本体２０との間で通信を行う通信手段１６３を備えている。
【００３０】
図２は、浴室リモートコントローラ１００の外観をその正面から表したものである。リモートコントローラ１００の有するスイッチには、図２に示すように、呼び出しスイッチ１１１と、優先スイッチ１１２と、おいだきスイッチ１１３と、自動スイッチ１１４がある。また詳細設定用に、給湯アップスイッチ１１５と、給湯ダウンスイッチ１１６と、湯量アップスイッチ１１７と、湯量ダウンスイッチ１１８と、ふろ温度アップスイッチ１１９と、ふろ温度ダウンスイッチ１２０とがある。このほか、ゆらぎシャワースイッチ１２１と、たし湯スイッチ１２２と、ぬる湯スイッチ１２３と、保温時間スイッチ１２４と、運転スイッチ１２５と、音量スイッチ１２６とがある。これらは図示省略の開閉可能な蓋で通常はカバーされている。
【００３１】
呼び出しスイッチ１１１は、浴室内から台所リモートコントローラ２００など他の箇所に設置されたもう１つのリモートコントローラとの間でインターフォン機能を有効にし、かつ相手を呼び出すためのスイッチである。優先スイッチ１１２は、台所リモートコントローラ２００など他の箇所に設置されたリモートコントローラよりも当該浴室リモートコントローラ１００で設定した給湯設定温度を優先するためのスイッチである。おいだきスイッチ１１３は、風呂の追焚運転の開始や停止を行うためのスイッチである。
【００３２】
自動スイッチ１１４は、風呂の自動運転の開始や停止を行うためのスイッチである。風呂の自動運転をオンにすると、設定された水位まで設定された温度の湯を自動で浴槽５に湯張りし、かつその温度および水位を設定された保温継続時間（たとえば４時間）が経過するまで維持するように器具本体２０が動作する。
【００３３】
給湯アップスイッチ１１５は、給湯設定温度を上げるためのスイッチであり、給湯ダウンスイッチ１１６は、給湯設定温度を下げるためのスイッチである。湯量アップスイッチ１１７は、浴槽設定水位を上げるためのスイッチであり、湯量ダウンスイッチ１１８は、浴槽設定水位を下げるためのスイッチである。ふろ温度アップスイッチ１１９は、ふろを保温する際の設定温度や追い焚き時の設定温度を上げるためのスイッチであり、ふろ温度ダウンスイッチ１２０は、同温度を下げるためのスイッチである。
【００３４】
ゆらぎシャワースイッチ１２１は、シャワーの温度又は勢いを、人に心地よいとされるＦ分の１の揺らぎで変化させるためのスイッチである。たし湯スイッチ１２２は、浴槽にたし湯するためのスイッチである。ぬる湯スイッチ１２３は、浴槽に水を入れて湯温を下げるためのスイッチである。保温時間スイッチ１２４は、自動運転中の保温継続時間を変更するためのスイッチである。運転スイッチ１２５は、器具本体２０の運転をオンオフするためのメインスイッチである。音量スイッチ１２６は、先に説明したインターフォン機能を作動させた際に、相手方からの声の大きさを変更するためのスイッチである。音量スイッチ１２６の左横には、マイクとしても機能するスピーカが内蔵されている。
【００３５】
浴室リモートコントローラ１００が備える多数の表示部のうち、給湯に関する表示項目の表示部としては、給湯設定温度の設定において台所リモートコントローラ２００など他のリモートコントローラより優先される状態にあることを「優先」の文字で表示する優先表示部１３１と、シャワーの温度又は勢いが揺らぎに設定されていることを「ゆらぎ」の文字で表示するゆらぎ表示部１３２と、炎の絵柄を変動させて給湯側の燃焼を通知する給湯燃焼表示部１３３と、給湯設定温度を数字で表示する給湯設定温度表示部１３４がある。
【００３６】
風呂に関する表示項目を表示する表示部としては、自動運転が予約中であることを「予約」の文字で表示する予約表示部１４１と、現在時刻もしくは予約時刻を表示する時刻表示部１４２と、炎の絵柄を変動させて風呂側の燃焼を通知する風呂燃焼表示部１４３と、風呂の設定温度を表示する風呂設定温度表示部１４４とがある。さらに、浴槽の設定水位を表示する水位表示部１４５と、風呂の保温中であることを「保温」の文字で表示する本表示部１４６と、浴槽に水または湯を注水中もしくは追焚中であることを矢印の点滅で表示する矢印表示部１４７と、水の注水中であることを「水」の文字で表示する水表示部１４８と、湯の注水中であることを「湯」の文字で表示する湯表示部１４９を備えている。
【００３７】
これらの表示部は、それぞれ独立した蛍光表示管で構成されており、独立に点灯・消灯可能になっている。さらに、呼び出しスイッチ１１１、優先スイッチ１１２、おいだきスイッチ１１３、自動スイッチ１１４にはそれぞれ個別のランプ１５１〜１５４が内蔵されている。運転ランプ１５５は、風呂給湯器１０が運転オンの状態であることを示すものである。
【００３８】
台所リモートコントローラ２００は、複数のスイッチ２１１〜２１６と、複数の表示部２２１〜２２３と、スイッチに内蔵されたランプ２４１、２４２と、運転ランプ２４３と、マイクの機能を兼ねたスピーカ２０１と、台所リモートコントローラ２００の動作を統轄制御する制御部２６０とを有している。制御部２６０は、ＣＰＵ、ＲＯＭ、ＲＡＭを主要部とする回路で構成されている。制御部２６０は、台所リモートコントローラ２００の動作を統括制御するものであり、制御部１６０と同様に操作管理部２６１と、表示制御部２６２と、通信手段２６３を備えている。
【００３９】
スイッチとしては、呼び出しスイッチ２１１、自動スイッチ２１２、給湯アップスイッチ２１３、給湯ダウンスイッチ２１４、運転スイッチ２１５、音量スイッチ２１６がある。表示部としては、優先表示部２２１と、給湯設定温度表示部２２２と、給湯燃焼表示部２２３がある。これらは浴室リモートコントローラ１００における同じ名称のスイッチおよび表示部とその機能が同一であり、それらの説明を省略する。
【００４０】
器具本体２０の制御部５０が有する省電力モード管理手段５４は、浴室リモートコントローラ１００および台所リモートコントローラ２００の動作モードを、表示が通常通り行われる通常モードと非表示になる省電力モードとに切り換える機能を有している。省電力モード管理手段５４は、器具の運転がオンになっており、かつ出湯などに基づく燃焼動作の行われていない待機中は、浴室リモートコントローラ１００および台所リモートコントローラ２００の双方を省電力モードにする。なお省電力モード中に何らかのスイッチ操作があると一時的に（たとえば３分間）通常モードに復帰し、再び省電力モードに戻るように動作モードが制御される。また待機中に出湯が始まると通常モードに復帰する。その後、出湯が停止して待機中に戻ってから所定時間（たとえば１０分）が経過すると、再び省電力モードへ移行するようになっている。
【００４１】
省電力モードにおいて、浴室リモートコントローラ１００および台所リモートコントローラ２００は、運転ランプ１５５、２４３を除いて非表示になる。通常モードでは、給湯設定温度表示部１３４、２２２、風呂設定温度表示部１４４、水位表示部１４５は常時オンになり、その他の表示項目は必要に応じてオンになる。たとえば優先スイッチ１１２の操作によって優先状態になると優先表示部１３１がオンになり、かつ優先スイッチ１１２に内蔵したランプがオンになる等である。
【００４２】
省電力モード管理手段５４は、台所リモートコントローラ２００の運転スイッチ２１５が操作されて風呂の自動運転がオンになった場合には、風呂が沸上るまで、浴室リモートコントローラ１００を省電力モードにする等の機能を有している。当該機能を果たすため、省電力モード管理手段５４は、送信元判定手段６１と、沸上り判定手段６２と、動作モード制御手段６３の機能を有している。
【００４３】
送信元判定手段６１は、通信手段５５がいずれかのリモートコントローラ１００、２００から、風呂の自動運転をオンにする操作がなされたことを表す情報を受信したとき、その送信元のリモートコントローラが浴室リモートコントローラ１００以外であるか否かを判定する。なおタイマ予約された時刻の到来によって風呂の自動運転がオンになったか否かについても判定する機能を有している。
【００４４】
沸上り判定手段６２は、風呂自動運転管理部５２が風呂の自動運転を開始してから人が入浴可能な状態になったことを判定するための所定の沸上り条件が成立したか否かを判定する機能を有する。沸上り条件は、ここでは沸上り完了の所定時間前（たとえば５分前）に成立するようになっている。このほか、沸上り完了時に成立したり、浴槽水の温度が風呂設定温度より所定温度低い温度まで上昇したときに成立したりするように構成してもよい。これらに限らず、注湯のみで（追焚をせずに）沸上り完了となるものも含み、人がほぼ入浴可能な状態になったことを判定し得る条件であればよい。
【００４５】
動作モード制御手段６３は、風呂の自動運転オンの操作が浴室リモートコントローラ１００以外のリモートコントローラでなされたと判定された場合、もしくは予約時刻の到来によってオンしたと判定された場合に、風呂の自動運転がオンになってから先の沸上り条件が成立するまでの間、浴室リモートコントローラ１００の動作モードをその表示状態が非表示もしくは通常より節電された状態のいずれかになる省電力モードに設定し、かつ沸上り条件が成立したとき等に、省電力モードを解除する機能を果たすものである。
【００４６】
図４は、風呂の自動運転がオンにされた場合における風呂給湯器１０の省電力モードに係わる動作の流れを示している。なお、先に説明したように、待機中は、浴室リモートコントローラ１００および台所リモートコントローラ２００は省電力モードになっている。器具本体２０は、風呂の自動運転のオン操作がなされると、風呂の自動運転を開始し（ステップＳ４０１）、浴室リモートコントローラ１００を通常モードに切り換える（ステップＳ４０２）。なお、台所リモートコントローラ２００については、スイッチ操作が行われたことや給湯使用に基づいて省電力モードが解除される。したがって、出湯等の動作がなければ、１０分など所定時間の経過後に、省電力モードに自動的に移行する。
【００４７】
次に、今回のスイッチ操作が浴室リモートコントローラ１００で行われたものであるか否かを調べ（ステップＳ４０３）、浴室リモートコントローラ１００以外で行われた場合には（ステップＳ４０３：Ｙ）、５分経過してから（ステップＳ４０４）、浴室リモートコントローラ１００を省電力モードに切り換える（ステップＳ４０５）。本実施の形態では、風呂設定温度や設定水位など風呂に関連する項目が台所リモートコントローラ２００に表示されない。このため、台所リモートコントローラ２００で風呂の自動運転のオン操作をした人が、そのあと浴室に来て、浴室リモートコントローラ１００で風呂設定温度や設定水位を確認する場合がある。かかる事態に対応すべく、自動運転がオンにされてから５分間は浴室リモートコントローラ１００を通常モードにし、５分経過後に浴室リモートコントローラ１００を省電力モードに切り換えている。なお、浴室リモートコントローラ１００からのスイッチ操作で風呂の自動運転がオンにされた場合は（ステップＳ４０３；Ｎ）、最後のスイッチ操作から１０分など所定時間の経過後に、省電力モードに自動的に移行する（ステップＳ４０５）。
【００４８】
風呂の自動運転をオンにしてから人が入浴可能な状態に沸上るまでは（ステップＳ４０６；Ｎ）、浴室に人が居ないと推定されるので、沸上り条件が成立するまで浴室リモートコントローラ１００を省電力モードに切り換えている。これにより、人の居ない浴室で浴室リモートコントローラ１００の表示が無駄に行われることが防止され、節電効果を得ることができる。
【００４９】
沸上り条件が成立すると（ステップＳ４０６：Ｙ）、人の入浴が推定されるので、浴室リモートコントローラ１００の省電力モードを解除して通常モードに切り換える（ステップＳ４０７）。その後、保温継続時間が経過するまでに、風呂の自動運転が手動のスイッチ操作でオフにされた場合は（ステップＳ４０８：Ｙ）、操作後、一定時間が経過するまでもしくは保温継続時間が経過するまでは（ステップＳ４１０；Ｎ）、通常モードでの表示を継続し、一定時間もしくは保温継続時間が経過したとき（ステップＳ４１０；Ｙ）、浴室リモートコントローラ１００を再び省電力モードに切り換える。
【００５０】
手動オフされないときは（ステップＳ４０８；Ｎ）、保温継続時間の経過によって自動的にオフになるまで（ステップＳ４０９：Ｎ）、通常モードでの表示を継続する。保温継続時間の経過によって自動的に風呂の自動運転がオフになると（ステップＳ４０９：Ｙ）、浴室リモートコントローラ１００を再び省電力モードに切り換える。
【００５１】
風呂の自動運転が自動的にオフになった場合には、その後の入浴が推定されないので、浴室リモートコントローラ１００を省電力モードに切り換える。一方、風呂の自動運転をオフにしても、しばらくは浴槽水の温度低下が少なく入浴可能なので、節約のために、実際に入浴を終える少し前に手動で風呂の自動運転をオフにする人もいる。このことを考慮し、風呂の自動運転が手動でオフされた場合は、その後、一定時間（たとえば３０分）が経過するまで浴室リモートコントローラ１００の表示を通常モードに維持している。なお、一定時間に代えて、保温継続時間が経過するまで通常モードを維持するように構成してもよい。また一定時間経過前に保温継続時間が到来したときは、保温継続時間の経過時点で省電力モードに移行したり、保温継続時間が過ぎても一定時間が経過するまでは省電力モードの解除した状態を維持するように構成してもよい。
【００５２】
タイマ予約によって風呂の自動運転がオンになった場合は、浴室リモートコントローラ１００以外のリモートコントローラで風呂の自動運転がオンになった場合と同様の流れで動作する。
【００５３】
以上、本発明の実施の形態を図面によって説明してきたが、具体的な構成はこれに限られるものではなく、本発明の要旨を逸脱しない範囲における変更や追加があってもかまわない。
【００５４】
たとえば、実施の形態では、浴室リモートコントローラ１００以外のリモートコントローラで風呂の自動運転のオン操作がなされた場合に、その後、５分待ってから浴室リモートコントローラ１００を省電力モードに切り換えたが、オン操作の後、すぐに省電力モードに切り換える（その前が待機中なら省電力モードをそのまま維持する）ように構成してもよい。特に、台所リモートコントローラ２００において風呂設定温度等が表示される場合にあっては、５分の経過を待つ必要はない。
【００５５】
また実施の形態では、風呂の自動運転がオンの間であっても、出湯動作やスイッチ操作がない限り台所リモートコントローラ２００を省電力モードに維持したが、風呂の自動運転中は台所リモートコントローラ２００を通常モードに設定してもよい。特に、台所リモートコントローラ２００で風呂設定温度の表示が可能な場合には、風呂の自動運転中は台所リモートコントローラ２００を通常モードに設定してもよい。この場合、風呂の自動運転の自動オフまたは手動オフに基づいて浴室リモートコントローラ１００を省電力モードに切り換えるとき、同時に台所リモートコントローラ２００も省電力モードに切り換えてもよい。
【００５６】
省電力モードにおける表示項目は、通常モードに比べて節電できるものであればよく、実施の形態で例示したものに限定されない。また省電力モードでの動作は、蛍光管表示等を消灯するだけでなく、減光したり、液晶表示の場合ではバックライトのみを減光・消灯したり、照光スイッチやその他のＬＥＤやランプ等も減光・消灯したり、音声案内の音声をなくしたりするなど、リモートコントローラでの節電に貢献するものであれば、いかなるものであってもよい。
【００５７】
【発明の効果】
本発明にかかる風呂給湯器および風呂給湯器のリモートコントローラ制御方法によれば、浴室以外に設置されたリモートコントローラやタイマ予約のタイムアップなど浴室リモートコントローラ以外の器具内外からの指示に基づいて風呂の自動運転がオンになったとき、その後、人が入浴可能な状態になるまで、浴室リモートコントローラの表示を省電力モードに設定し、入浴可能になったとき省電力モードを解除して通常の表示を行うので、浴室に人が居ないと推定されるときに浴室リモートコントローラで無駄に通常の表示動作が行われなくなり、節電効果を得ることができる。
【００５８】
浴室リモートコントローラ以外の器具内外からの指示に基づいて風呂の自動運転がオンにされた後、一定の猶予時間が経過してから浴室リモートコントローラを省電力モードに切り換えるものでは、操作されたリモートコントローラに風呂設定温度等の表示機能がない場合でも、操作後しばらくの間は、浴室リモートコントローラで風呂設定温度等を確認することが可能になり、利便性を損なわずに節電効果を得ることができる。
【００５９】
風呂の自動運転が自動でオフになったとき、浴室リモートコントローラを省電力モードに設定するものでは、保温継続時間の経過後は、人の入浴がほぼ無いと推定されるので、省電力モードに切り換えることで、自動的に節電することができる。
【００６０】
また風呂の自動運転が手動でオフにされたときは、その後に一定時間が経過するまで、または保温開始から一定時間が経過するまで、または保温継続時間が経過するまで通常モードを維持してから省電力モードに切り換えるものでは、入浴終了前に手動でオフにして倹約する利用者にも不便を与えることがない。
【図面の簡単な説明】
【図１】本発明の一実施の形態に係る風呂給湯器の構成を示すブロック図である。
【図２】本発明の一実施の形態に係る浴室リモートコントローラを示す正面図である。
【図３】本発明の一実施の形態に係る台所リモートコントローラを示す正面図である。
【図４】本発明の一実施の形態に係る風呂給湯器の風呂自動運転がオンにされた場合における動作を示す流れ図である。
【符号の説明】
５…浴槽
１０…風呂給湯器
２０…器具本体
２１…バーナ
２２…熱交換器
２３…フィン
３０…給湯水管
３１…給水管
３２…給湯管
３３…水量センサ
４０…追焚水管
４１…ふろ戻管
４２…ふろ往管
４３…ふろポンプ
４５…注湯連絡管
４６…電磁弁
５０…制御部
５１…燃焼制御手段
５２…風呂自動運転管理部
５３…タイマ
５４…省電力モード管理手段
５５…通信手段
６１…送信元判定手段
６２…沸上り判定手段
６３…動作モード制御手段
１００…浴室リモートコントローラ
１０１…スピーカ
１１１…呼び出しスイッチ
１１２…優先スイッチ
１１３…おいだきスイッチ
１１４…自動スイッチ
１１５…給湯アップスイッチ
１１６…給湯ダウンスイッチ
１１７…湯量アップスイッチ
１１８…湯量ダウンスイッチ
１１９…ふろ温度アップスイッチ
１２０…ふろ温度ダウンスイッチ
１２１…ゆらぎシャワースイッチ
１２２…たし湯スイッチ
１２３…ぬる湯スイッチ
１２４…保温時間スイッチ
１２５…運転スイッチ
１２６…音量スイッチ
１３１…優先表示部
１３２…ゆらぎ表示部
１３３…給湯燃焼表示部
１３４…給湯設定温度表示部
１４１…予約表示部
１４２…時刻表示部
１４３…風呂燃焼表示部
１４４…風呂設定温度表示部
１４５…水位表示部
１４６…本表示部
１４７…矢印表示部
１４８…水表示部
１４９…湯表示部
１５１〜１５４…ランプ
１５５…運転ランプ
１６０…制御部
１６１…操作管理部
１６２…表示制御部
１６３…通信手段
２００…台所リモートコントローラ
２０１…スピーカ
２１１…呼び出しスイッチ
２１２…自動スイッチ
２１３…給湯アップスイッチ
２１４…給湯ダウンスイッチ
２１５…運転スイッチ
２１６…音量スイッチ
２２１…優先表示部
２２２…給湯設定温度表示部
２２３…給湯燃焼表示部
２４１、２４２…ランプ
２４３…運転ランプ
２６０…制御部
２６１…操作管理部
２６２…表示制御部
２６３…通信手段
【図１】
2004278962.tif 000003
【図２】
2004278962.tif 000004
【図３】
2004278962.tif 000005
【図４】
2004278962.tif 000006